【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
空気を通すための通気路が形成されたパッドと、前記パッドの着座者側の面に配置されたシート状のヒータと、前記パッドと前記ヒータを覆う表皮材と、を備えるシートであって、
前記パッドは、着座者側の面において着座者側とは反対側に凹むように形成された凹部を有するパッド本体と、前記凹部内に配置されるとともに、前記パッド本体との間で前記通気路の一部を形成するカバー部材とを備え、
前記ヒータの一部は、前記カバー部材とともに前記凹部内に配置され、
前記パッド本体は、着座者側の面において着座者側とは反対側に凹むように形成された吊り込み溝を有し、
前記表皮材は、吊り込み部材によって前記吊り込み溝に吊り込まれ、
前記吊り込み部材は、着座者側から着座者側とは反対側に向かう第１方向において前記カバー部材と重なる位置であって、前記ヒータよりも着座者側とは反対側の位置に配置されていることを特徴とするシート。
【請求項２】
前記カバー部材は、前記カバー部材の着座者側とは反対側の面であって、前記凹部の内面に当接する当接面を有し、
前記吊り込み部材は、前記当接面よりも着座者側の位置に配置されていることを特徴とする請求項１に記載のシート。
【請求項３】
前記吊り込み部材は、前記第１方向において前記パッド本体の着座者側の面と前記当接面との間の位置に配置されていることを特徴とする請求項２に記載のシート。
【請求項４】
前記表皮材は、縫合部を有し、
前記カバー部材は、前記縫合部が入り込む縫合部配置溝を有し、
前記吊り込み部材は、前記縫合部配置溝よりも着座者側とは反対側の位置に配置されていることを特徴とする請求項１から請求項３のいずれか１項に記載のシート。
【請求項５】
前記ヒータの一部は、前記縫合部配置溝内に配置され、前記カバー部材と前記縫合部とによって挟まれていることを特徴とする請求項４に記載のシート。
【請求項６】
前記ヒータは、基材と、前記基材に支持されるヒータ線とを備え、
前記基材は、前記カバー部材を覆う基材中央部を有し、
前記基材中央部は、前記吊り込み溝内に配置されていないことを特徴とする請求項１から請求項５のいずれか１項に記載のシート。
【手続補正２】
【補正対象書類名】明細書
【補正対象項目名】０００５
【補正方法】変更
【補正の内容】
【０００５】
そこで、本発明は、パッドの薄型化を図りつつ、ヒータの不要な変形を抑制することができるシートを提供することを目的とする。
また、空調性能を向上させたり、暖房性能を向上させたりすることができるシートを提供することを目的とする。
また、ヒータの構成を簡略化したり、組み付け作業性を向上させたりすることができるシートを提供することを目的とする。
また、パッドの貫通した部分付近の強度を向上させることができるシートを提供することを目的とする。
また、部材の取付強度を向上させることができるシートを提供することを目的とする。
また、パッドを容易に製造することができるシートを提供することを目的とする。
【手続補正３】
【補正対象書類名】明細書
【補正対象項目名】０００６
【補正方法】変更
【補正の内容】
【０００６】
前記した目的を達成するためのシートは、空気を通すための通気路が形成されたパッドと、前記パッドの着座者側の面に配置されたシート状のヒータと、前記パッドと前記ヒータを覆う表皮材と、を備えるシートであって、前記パッドは、着座者側の面において着座者側とは反対側に凹むように形成された凹部を有するパッド本体と、前記凹部内に配置されるとともに、前記パッド本体との間で前記通気路の一部を形成するカバー部材とを備え、前記ヒータの一部は、前記カバー部材とともに前記凹部内に配置され、前記パッド本体は、着座者側の面において着座者側とは反対側に凹むように形成された吊り込み溝を有し、前記表皮材は、吊り込み部材によって前記吊り込み溝に吊り込まれ、前記吊り込み部材は、着座者側から着座者側とは反対側に向かう第１方向において前記カバー部材と重なる位置であって、前記ヒータよりも着座者側とは反対側の位置に配置されていることを特徴とする。
前記したシートにおいて、前記カバー部材は、前記カバー部材の着座者側とは反対側の面であって、前記凹部の内面に当接する当接面を有し、前記吊り込み部材は、前記当接面よりも着座者側の位置に配置されている構成とすることができる。
前記したシートにおいて、前記吊り込み部材は、前記第１方向において前記パッド本体の着座者側の面と前記当接面との間の位置に配置されている構成とすることができる。
前記したシートにおいて、前記表皮材は、縫合部を有し、前記カバー部材は、前記縫合部が入り込む縫合部配置溝を有し、前記吊り込み部材は、前記縫合部配置溝よりも着座者側とは反対側の位置に配置されている構成とすることができる。
前記したシートにおいて、前記ヒータの一部は、前記縫合部配置溝内に配置され、前記カバー部材と前記縫合部とによって挟まれている構成とすることができる。
前記したシートにおいて、前記ヒータは、基材と、前記基材に支持されるヒータ線とを備え、前記基材は、前記カバー部材を覆う基材中央部を有し、前記基材中央部は、前記吊り込み溝内に配置されていない構成とすることができる。
また、シートは、空気を通すための通気路が形成されたパッドと、前記パッドの着座者側の面に配置されたシート状のヒータと、を備えるシートであって、前記パッドは、着座者側の面において凹む穴部を有するパッド本体と、前記穴部を覆うように配置されて前記穴部との間で前記通気路の一部を形成するフィルム状部材と、を備え、前記ヒータは、前記フィルム状部材と重なって配置されていることを特徴とする。
【手続補正４】
【補正対象書類名】明細書
【補正対象項目名】００３１
【補正方法】変更
【補正の内容】
【００３１】
また、フィルム状部材をパッド本体よりも通気性が低い構成とすることで、シートの空調性能を向上させることができる。
【手続補正５】
【補正対象書類名】明細書
【補正対象項目名】００３２
【補正方法】変更
【補正の内容】
【００３２】
また、ヒータの通気性を有する基材をパッドの通気孔を覆うように配置することで、ヒータの構成を簡略化したり、ヒータの組み付け作業性を向上させたりすることができる。
【手続補正６】
【補正対象書類名】明細書
【補正対象項目名】００３３
【補正方法】変更
【補正の内容】
【００３３】
また、基材をすべての通気孔を覆うように配置することで、シートの空調性能を向上させることができる。
【手続補正７】
【補正対象書類名】明細書
【補正対象項目名】００３４
【補正方法】変更
【補正の内容】
【００３４】
また、穴部の貫通した部分をフィルム状部材および基材の両方によって覆うことで、パッドの貫通した部分付近の強度を向上させたり、シートの空調性能をより向上させたりすることができる。
【手続補正８】
【補正対象書類名】明細書
【補正対象項目名】００３５
【補正方法】変更
【補正の内容】
【００３５】
また、基材をパッドのカバー部材の全体を覆うように配置することで、カバー部材の取付強度を向上させることができる。
【手続補正９】
【補正対象書類名】明細書
【補正対象項目名】００３６
【補正方法】変更
【補正の内容】
【００３６】
また、パッド本体の凹部を覆い凹部との間で通気路の一部を形成するカバー部材に通気孔を設けることで、通気路や通気孔を有するパッドを容易に製造することができる。
【手続補正１０】
【補正対象書類名】明細書
【補正対象項目名】００３７
【補正方法】変更
【補正の内容】
【００３７】
また、ヒータ線をフィルム状部材と重なるように配置することで、シートの暖房性能を向上させることができる。
【手続補正１１】
【補正対象書類名】明細書
【補正対象項目名】００３８
【補正方法】変更
【補正の内容】
【００３８】
また、基材をヒータ線が配置される範囲よりも外側まで延びる構成とすることで、ヒータの取付強度を向上させることができる。
【手続補正１２】
【補正対象書類名】明細書
【補正対象項目名】００３９
【補正方法】変更
【補正の内容】
【００３９】
また、ヒータ線を着座者の肩部を除く背中部分に対面するように配置することで、シートの暖房性能を向上させることができる。
【手続補正１３】
【補正対象書類名】明細書
【補正対象項目名】００４０
【補正方法】変更
【補正の内容】
【００４０】
また、フィルム状部材がヒータをパッド本体に貼り付けるための粘着層を有する構成とすることで、組み付け作業性を向上させることができる。